(57)【要約】  外形が異なるエアコン室外機に対応できる汎用性のあるエアコン室外機用遮熱シートを提供する。遮熱シート１０は、室外機７の外面を包装状態で覆うことができる。遮熱シート１０は、上面シート部１ａ、前面シート部１ｂ、及び、背面シート部１ｃを有する。又、遮熱シート１０は、第１側面シート部１ｄと第２側面シート部１ｅを有する。第１バンド部材ｂ１を用いて、前面シート部１ｂ及び背面シート部１ｃの一方の側縁と第１側面シート部１ｄの両側縁を係留することで、室外機７の一方の端部側を遮熱シート１０で固定できる。第２バンド部材ｂ２を用いて、第３側面シート部１ｆ及び第４側面シート部１ｇを互いに引き寄せることで、前面シート部１ｂ及び背面シート部１ｃの他方の側縁同士を係留できる。
2019235643.tif 000002
【特許請求の範囲】
【請求項１】
通気口を開口した面を少なくとも１つ有するエアコン室外機の、底面を除く外面を包装状態で覆うエアコン室外機用遮熱シートであって、
前記遮熱シートは、可撓性を有し、
エアコン室外機の上面を覆う上面シート部と、
エアコン室外機の前面を覆う前面シート部と、
エアコン室外機の背面を覆う背面シート部と、
エアコン室外機の一方の側面を覆う第１側面シート部と、
エアコン室外機の他方の側面の一部を覆う第２側面シート部と、
前記通気口に対向する通気部と、を有し、
前記前面シート部及び前記背面シート部の一方の側縁と前記第１側面シート部の両側縁を係留する第１バンド部材と、
前記前面シート部及び前記背面シート部の他方の側縁同士を係留する第２バンド部材と、を有している、エアコン室外機用遮熱シート。
【請求項２】
前記前面シート部は、スリットを介して前記第２側面シート部と断絶し、前記前面シート部の他方の側縁からエアコン室外機の他方の側面の一部を覆う第３側面シート部を更に有し、
前記背面シート部は、スリットを介して前記第２側面シート部と断絶し、前記背面シート部の他方の側縁からエアコン室外機の他方の側面の一部を覆う第４側面シート部を更に有している、請求項１記載のエアコン室外機用遮熱シート。
【請求項３】
前面と背面に通気口を開口したエアコン室外機の外面を包装状態で覆うエアコン室外機用遮熱シートであって、
エアコン室外機の前面を覆い、前記通気口に対向する第１通気部を設けた前面シート部と、
エアコン室外機の背面を覆い、前記通気口に対向する第２通気部を設けた背面シート部と、を有している、請求項１又は２記載のエアコン室外機用遮熱シート。
【請求項４】
上面及び、前面、背面、又は両側面のうち少なくともいずれか１の面に通気口を開口したエアコン室外機の外面を包装状態で覆うエアコン室外機用遮熱シートであって、
エアコン室外機の上面を覆い、前記通気口に対向する第１通気部を設けた上面シート部と、
エアコン室外機の前面を覆う前面シート部と、
エアコン室外機の一方の側面を覆う第１側面シート部と、
エアコン室外機の他方の側面の一部を覆う第２側面シート部と、を有し、
前記前面、背面、又は両側面のうち少なくともいずれか１の面に開口した通気口に対向する第２通気部を有している、請求項１又は２記載のエアコン室外機用遮熱シート。
【請求項５】
エアコン室外機の外面に当接自在な発泡シートと、日光に含まれる熱線を反射する反射シートと、外装シートと、を有し、前記外装シート、前記反射シート、前記発泡シート、及び、前記反射シートを面方向に接合した状態で積層している、請求項１から４のいずれかに記載のエアコン室外機用遮熱シート。
【請求項６】
少なくともいずれか１つの前記通気部は、開口している、請求項１から５のいずれかに記載のエアコン室外機用遮熱シート。
【請求項７】
少なくともいずれか１つの前記通気部は、開閉可能である、請求項１から６のいずれかに記載のエアコン室外機用遮熱シート。
【請求項８】
少なくともいずれか１つの前記通気部には、メッシュシートが配置される、請求項１から７のいずれかに記載のエアコン室外機用遮熱シート。
【請求項９】
少なくともいずれか１つの前記通気部は、複数の帯板状のフィンを通風可能に配列している、請求項１から８のいずれかに記載のエアコン室外機用遮熱シート。
【請求項１０】
前記遮熱シートは、前記前面シート部の側縁と前記背面シート部の側縁をエアコン室外機の底面側で係留する第３バンド部材を更に備えている、請求項１から９のいずれかに記載のエアコン室外機用遮熱シート。
【請求項１１】
前記遮熱シートは、前記上面シート部、前記前面シート部、前記背面シート部、前記第１側面シート部、又は前記第２側面シート部のうち、少なくともいずれか１つのシート部に装着可能な、ひさし部を更に備えている、請求項１から１０のいずれかに記載のエアコン室外機用遮熱シート。
【請求項１２】
前記遮熱シートは、前記上面シート部、前記前面シート部、前記背面シート部、前記第１側面シート部、又は前記第２側面シート部のうち、少なくともいずれか１つのシート部の一部を切り抜いて形成される、ひさし部を更に備えている、請求項１から１０のいずれかに記載のエアコン室外機用遮熱シート。
【発明の詳細な説明】
【技術分野】
【０００１】
本発明は、エアコン室外機用遮熱シートに関する。特に、室外に設置されたエアコンの室外機を直射日光の輻射熱から遮熱するために、室外機を覆うエアコン室外機用遮熱シートの構造に関する。
【背景技術】
【０００２】
室内を快適にするための空気調和設備の代表としては、いわゆる、エアコンが挙げられる。一般に、分離式のエアコンは、室内熱交換機とファンなどを備えた室内機と、室外熱交換機とコンプレッサなどを備えた室外機で構成している。【０００３】
家庭用のエアコン室外機は、直方体状の筐体の内部にファンを設置している。ファンを駆動して、筐体の背面側に開口した吸気口から大気を取り入れ、筐体の前面側に開口した排気口から排気することで、エアコン室外機の内部を空冷している。【０００４】
一般に、エアコン室外機は、屋外に設置されているので、特に、夏場には、筐体が直射日光に長時間曝されている。これにより、筐体を介して、エアコン室外機の内部温度が上昇している。室内で清涼感を得るため、エアコン温度を設定しても、エアコン室外機の内部温度が上昇しているので、所望の温度を得ることが困難なことがある。又、直射日光に起因するエアコン室外機の内部温度と室内の設定温度の差が大きいと、消費電力も加算されるという問題がある。【０００５】
このような背景から、アルミニウム糸編織シート或いはアルミニウム蒸着フィルム又はシートを発泡シートに積層した積層発泡シートで構成し、エアコン室外機の上面部の全面又は一部を覆う被覆形成部を有するカバー形成体からなるエアコン室外機用遮熱カバーが開示されている（例えば、特許文献１参照）。【０００６】
又、このような背景から、排気口を除くエアコン室外機の外面を遮熱シートで覆うように構成し、複数の遮熱シート固定具が磁石を用いて、エアコン室外機の外面に取り付けられ、複数の遮熱シート固定の間に、遮熱シートが着脱自在に張設されるエアコン室外機用遮熱シートが開示されている（例えば、特許文献２参照）。
【先行技術文献】
【特許文献】
【０００７】
【特許文献１】特開２００４−３１７０２２号公報
【特許文献２】特開２０１４−６０３４号公報
【発明の概要】
【発明が解決しようとする課題】
【０００８】
特許文献１によるエアコン室外機用遮熱カバーは、軽量で、エアコン室外機への取付け又は取外しが簡単であり、エアコン室外機が直射日光により加熱させられるのを効率よく防ぐことができ、かつ、断熱性に優れている、としている。【０００９】
しかし、特許文献１によるエアコン室外機用遮熱カバーは、市販のエアコン室外機用日除けカバーと比較して、断熱効果を向上できるが、エアコン室外機の前面及び両側面を遮熱するように構成していないので、エアコン室外機を十分に遮熱することが困難である、という問題がある。底面を除き、エアコン室外機の外面を遮熱するエアコン室外機用遮熱シートが求められている。【００１０】
特許文献２によるエアコン室外機用遮熱シートは、エアコン室外機に対して遮熱シートをしっかりと取り付けできると共に、着脱が容易であり、かつ、遮熱シート固定具の取り付けによって、エアコン室外機が損傷しない、としている。【００１１】
特許文献２によるエアコン室外機用遮熱シートは、空気層を介して、エアコン室外機の上面及び前面を遮熱シートで覆っているので、特許文献１によるエアコン室外機用遮熱カバーと比較して、エアコン室外機の内部温度の上昇を抑制できる。【００１２】
しかし、家庭用又は業務用のエアコン室外機は、メーカーによって外形が異なっている。特許文献２によるエアコン室外機用遮熱シートは、エアコン室外機の上面及び前面を遮熱シートで張設しているので、エアコン室外機の外形が異なると、対応する大きさの遮熱シートを用意する必要がある。エアコン室外機の外形が異なっていても、これに対応できるように、汎用性を有するエアコン室外機用遮熱シートが求められている。そして、以上のことが本発明の課題といってよい。【００１３】
本発明は、このような課題に鑑みてなされたものであり、エアコン室外機の外面を遮熱可能に覆うエアコン室外機用遮熱シートであって、外形が異なるエアコン室外機に対応できる汎用性のあるエアコン室外機用遮熱シートを提供することを目的とする。
【課題を解決するための手段】
【００１４】
本発明者は、可撓性を有する展開した遮熱シートの周囲を折り曲げて、底面を除いて、エアコン室外機の外面を包装状態で覆うと共に、エアコン室外機の通気口に対向する通気部を設け、前面シート部及び背面シート部の一端部側は、一方の側面シート部の側縁にバンド部材で係留し、前面シート部及び背面シート部の他端部側は、互いにバンド部材で係留することで、汎用性を有するエアコン室外機用遮熱シートが実現できると考え、これに基づいて、以下のような新たなエアコン室外機用遮熱シートを発明するに至った。【００１５】
（１）本発明によるエアコン室外機用遮熱シートは、通気口を開口した面を少なくとも１つ有するエアコン室外機の、底面を除く外面を包装状態で覆うエアコン室外機用遮熱シートであって、前記遮熱シートは、可撓性を有し、エアコン室外機の上面を覆う上面シート部と、エアコン室外機の前面を覆う前面シート部と、エアコン室外機の背面を覆う背面シート部と、エアコン室外機の一方の側面を覆う第１側面シート部と、エアコン室外機の他方の側面の一部を覆う第２側面シート部と、前記通気口に対向する通気部と、を有し、前記前面シート部及び前記背面シート部の一方の側縁と前記第１側面シート部の両側縁を係留する第１バンド部材と、前記前面シート部及び前記背面シート部の他方の側縁同士を係留する第２バンド部材と、を有している。【００１６】
（２）前記前面シート部は、スリットを介して前記第２側面シート部と断絶し、前記前面シート部の他方の側縁からエアコン室外機の他方の側面の一部を覆う第３側面シート部を更に有し、前記背面シート部は、スリットを介して前記第２側面シート部と断絶し、前記背面シート部の他方の側縁からエアコン室外機の他方の側面の一部を覆う第４側面シート部を更に有していることが好ましい。【００１７】
（３）本発明によるエアコン室外機用遮熱シートは、前面と背面に通気口を開口したエアコン室外機の外面を包装状態で覆うエアコン室外機用遮熱シートであって、エアコン室外機の前面を覆い、前記通気口に対向する第１通気部を設けた前面シート部と、エアコン室外機の背面を覆い、前記通気口に対向する第２通気部を設けた背面シート部と、を有していてもよい。【００１８】
（４）本発明によるエアコン室外機用遮熱シートは、上面及び、前面、背面、又は両側面のうち少なくともいずれか１の面に通気口を開口したエアコン室外機の外面を包装状態で覆うエアコン室外機用遮熱シートであって、エアコン室外機の上面を覆い、前記通気口に対向する第１通気部を設けた上面シート部と、エアコン室外機の前面を覆う前面シート部と、エアコン室外機の一方の側面を覆う第１側面シート部と、エアコン室外機の他方の側面の一部を覆う第２側面シート部と、を有し、前記前面、背面、又は両側面のうち少なくともいずれか１の面に開口した通気口に対向する第２通気部を有していてもよい。【００１９】
（５）本発明によるエアコン室外機用遮熱シートは、エアコン室外機の外面に当接自在な発泡シートと、日光に含まれる熱線を反射する反射シートと、外装シートと、を有し、前記外装シート、前記反射シート、前記発泡シート、及び、前記反射シートを面方向に接合した状態で積層していることが好ましい。【００２０】
（６）少なくともいずれか１つの前記通気部は、開口していることが好ましい。【００２１】
（７）少なくともいずれか１つの前記通気部は、開閉可能であることが好ましい。【００２２】
（８）少なくともいずれか１つの前記通気部には、メッシュシートが配置されていることが好ましい。【００２３】
（９）少なくともいずれか１つの前記通気部は、複数の帯板状のフィンを通風可能に配列していることが好ましい。【００２４】
（１０）前記遮熱シートは、前記前面シート部の側縁と前記背面シート部の側縁をエアコン室外機の底面側で係留する第３バンド部材を更に備えていることが好ましい。【００２５】
（１１）前記遮熱シートは、前記上面シート部、前記前面シート部、前記背面シート部、前記第１側面シート部、又は前記第２側面シート部のうち、少なくともいずれか１つのシート部に装着可能な、ひさし部を更に備えていてもよい。【００２６】
（１２）前記遮熱シートは、前記上面シート部、前記前面シート部、前記背面シート部、前記第１側面シート部、又は前記第２側面シート部のうち、少なくともいずれか１つのシート部の一部を切り抜いて形成される、ひさし部を更に備えていてもよい。
【発明の効果】
【００２７】
本発明によるエアコン室外機用遮熱シートは、可撓性を有する展開した遮熱シートの周囲を折り曲げて、底面を除いて、エアコン室外機の外面を包装状態で覆うと共に、遮熱シートの四隅をバンド部材で係留することで、汎用性を有するエアコン室外機用遮熱シートを実現できる。
【図面の簡単な説明】
【００２８】
【図１】本発明によるエアコン室外機用遮熱シートの概略構成を示す斜視図であり、遮熱シートをエアコン室外機に装着する前の状態図である。
【図２】本発明によるエアコン室外機用遮熱シートの概略構成を示す斜視図であり、遮熱シートをエアコン室外機に装着した状態図である。
【図３】本発明によるエアコン室外機用遮熱シートの概略構成を示す斜視図であり、遮熱シートをエアコン室外機に装着した状態図である。
【図４】本発明によるエアコン室外機用遮熱シートの概略構成を示す展開図であり、図４（Ａ）は、大きなサイズの遮熱シートの展開図、図４（Ｂ）は、中間サイズの遮熱シートの展開図、図４（Ｃ）は、小さいサイズの遮熱シートの展開図、図４（Ｄ）は、大きなサイズの遮熱シートの展開図であり、バンド部材を係留できる複数の穴を側縁に開口している。
【図５】本発明によるエアコン室外機用遮熱シートの概略構成を示す下面図であり、第３バンド部材を用いて、前面シート部と背面シート部をエアコン室外機の底面側で係留した状態図である。
【図６】本発明によるエアコン室外機用遮熱シートの概略構成を示す斜視図であり、第３バンド部材を用いて、前面シート部を係留している過程の状態図である。
【図７】本発明によるエアコン室外機用遮熱シートの概略構成を示す斜視図であり、第３バンド部材を用いて、前面シート部を係留した状態図である。
【図８】本発明によるエアコン室外機用遮熱シートの概略構成を示す斜視図であり、第３バンド部材を用いて、前面シート部を係留した状態の第１変形例を示す図である。
【図９】本発明によるエアコン室外機用遮熱シートの概略構成を示す斜視図であり、第３バンド部材を用いて、前面シート部を係留した状態の第２変形例を示す図である。
【図１０】本発明の第１実施形態によるエアコン室外機用遮熱シートの構成を示す斜視図である。
【図１１】第１実施形態によるエアコン室外機用遮熱シートの構成を示す図であり、図１１（Ａ）は、遮熱シートの正面図、図１１（Ｂ）は、遮熱シートの右側面図、図１１（Ｃ）は、遮熱シートの背面図、図１１（Ｄ）は、遮熱シートの左側面図である。
【図１２】本発明の第２実施形態によるエアコン室外機用遮熱シートの構成を示す斜視図である。
【図１３】第２実施形態によるエアコン室外機用遮熱シートの構成を示す図であり、図１３（Ａ）は、遮熱シートの正面図、図１３（Ｂ）は、遮熱シートの右側面図、図１３（Ｃ）は、遮熱シートの背面図、図１３（Ｄ）は、遮熱シートの左側面図である。
【図１４】本発明の第３実施形態によるエアコン室外機用遮熱シートの構成を示す斜視図である。
【図１５】第３実施形態によるエアコン室外機用遮熱シートの構成を示す図であり、図１５（Ａ）は、遮熱シートの正面図、図１５（Ｂ）は、遮熱シートの右側面図、図１５（Ｃ）は、遮熱シートの背面図、図１５（Ｄ）は、遮熱シートの左側面図である。
【図１６】第３実施形態によるエアコン室外機用遮熱シートに備わるフィンの構成を示す斜視図であり、図１６（Ａ）は、正面フィンを外部から観た状態図、図１６（Ｂ）は、正面フィンを内部から観た状態図、図１６（Ｃ）は、側面フィンを外部から観た状態図、図１６（Ｄ）は、側面フィンを内部から観た状態図である。
【図１７】第３実施形態によるエアコン室外機用遮熱シートに備わる正面フィンの構成を示す図であり、図１７（Ａ）は、正面フィンの正面図であり、正面フィンを打ち抜き加工する前の状態図、図１７（Ｂ）は、図１７（Ａ）の縦断面図、図１７（Ｃ）は、正面フィンの正面図であり、正面フィンを打ち抜き加工した状態図、図１７（Ｄ）は、図１７（Ｃ）の縦断面図である。
【図１８】第３実施形態によるエアコン室外機用遮熱シートに備わる側面フィンの構成を示す図であり、図１８（Ａ）は、側面フィンの正面図であり、側面フィンを打ち抜き加工する前の状態図、図１８（Ｂ）は、図１８（Ａ）の縦断面図、図１８（Ｃ）は、側面フィンの正面図であり、側面フィンを打ち抜き加工した状態図、図１８（Ｄ）は、図１８（Ｃ）の縦断面図である。
【図１９】本発明の第４実施形態によるエアコン室外機用遮熱シートの構成を示す斜視図である。
【図２０】第４実施形態によるエアコン室外機用遮熱シートの構成を示す図であり、図２０（Ａ）は、遮熱シートの正面図、図２０（Ｂ）は、遮熱シートの右側面図、図２０（Ｃ）は、遮熱シートの背面図、図２０（Ｄ）は、遮熱シートの左側面図である。
【図２１】本発明の第５実施形態によるエアコン室外機用遮熱シートの構成を示す斜視図である。
【図２２】本発明の第６実施形態によるエアコン室外機用遮熱シートの構成を示す斜視図である。
【図２３】本発明の実施形態による業務用エアコン室外機用遮熱シートの概略構成を示す斜視図であり、遮熱シートをエアコン室外機に装着する前の状態図である。
【図２４】本発明の実施形態による業務用エアコン室外機用遮熱シートの概略構成を示す斜視図であり、遮熱シートをエアコン室外機に装着した状態図である。
【図２５】第４実施形態によるエアコン室外機用遮熱シートの概略構成を示す斜視図である。
【図２６】第５実施形態によるエアコン室外機用遮熱シートの概略構成を示す斜視図である。
【図２７】本発明の実施形態によるエアコン室外機用遮熱シートの概略構成を示す展開図であり、図２７（Ａ）は遮熱シート本体の展開図であり、図２７（Ｂ）は遮熱シート本体に装着して用いる保護カバーの展開図である。
【図２８】第５実施形態によるエアコン室外機用遮熱シートの概略構成を示す展開図であり、図２８（Ａ）は遮熱シート本体の展開図であり、図２８（Ｂ）は遮熱シート本体に装着して用いる、ひさし部の展開図である。
【図２９】第６実施形態によるエアコン室外機用遮熱シートの変形例の概略構成を示す斜視図である。
【図３０】第５実施形態によるエアコン室外機用遮熱シートの変形例の概略構成を示す斜視図である。
【発明を実施するための形態】
【００２９】
以下、図面を参照して本発明を実施するための形態を説明する。
［エアコン室外機用遮熱シートの概略構成］
最初に、本発明によるエアコン室外機用遮熱シートの概略構成を説明する。
【００３０】
（家庭用エアコン室外機用遮熱シートの概略構成）
〔室外機〕
図１から図４を参照すると、本発明によるエアコン室外機用遮熱シート（以下、遮熱シートと略称する）１０は、エアコン室外機（以下、室外機と略称する）７の外面を包装状態で覆うことができる。室外機７は、その前面７ｂに排気口Ｖｅを開口し（図１参照）、背面７ｃに吸気口Ｖｉを開口している（図１１（Ｃ）参照）。このように、室外機７は、通気口を前面７ｂと背面７ｃに開口している。このような室外機７は、家庭用エアコン室外機として主に用いられる。
【００３１】
図１又は図２を参照すると、室外機７は、一対の脚台７１ｆ・７１ｆを底面７ｆに固定している。室外機７は、一対の脚台７１ｆ・７１ｆを介して、屋外に設置されている。遮熱シート１０は、室外機７の底面７ｆを除き、室外機７の外面を包装状態で覆っている（図２参照）。
【００３２】
〔シートサイズ〕
図１又は図４を参照すると、遮熱シート１０は、可撓性を有する展開シートで構成している。図４（Ａ）から図４（Ｃ）を参照して、遮熱シート１０は、大きなサイズの遮熱シート１０Ｌ、中間サイズの遮熱シート１０Ｍ、小さいサイズの遮熱シート１０Ｓを用意しておくことが好ましい。これにより、国内メーカーの略全ての室外機７に、遮熱シート１０を取り付けることができる。
【００３３】
〔シート部１ａ、１ｂ、１ｃ、１ｄ、１ｅ〕
図１又は図４を参照すると、遮熱シート１０は、上面シート部１ａ、前面シート部１ｂ、及び、背面シート部１ｃを有している。上面シート部１ａは、室外機７の上面７ａを覆うことができる。
【００３４】
図１又は図４を参照すると、前面シート部１ｂは、上面シート部１ａと連続している。上面シート部１ａに対して前面シート部１ｂを屈曲することで、前面シート部１ｂは、室外機７の前面７ｂを覆うことができる。図１又は図４には開示していないが、前面シート部１ｂには、排気口Ｖｅに対向する第１通気部を設けることが好ましい。
【００３５】
図１又は図４を参照すると、背面シート部１ｃは、上面シート部１ａと連続している。上面シート部１ａに対して背面シート部１ｃを屈曲することで、背面シート部１ｃは、室外機７の背面７ｃを覆うことができる。図１又は図４には開示していないが、背面シート部１ｃには、吸気口Ｖｉに対向する第２通気部を設けることが好ましい。
【００３６】
図１又は図４を参照すると、遮熱シート１０は、第１側面シート部１ｄと第２側面シート部１ｅを有している。第１側面シート部１ｄは、上面シート部１ａと連続している。上面シート部１ａに対して第１側面シート部１ｄを屈曲することで、第１側面シート部１ｄは、室外機７の一方の側面７ｄを覆うことができる。
【００３７】
図１又は図４を参照すると、第２側面シート部１ｅは、上面シート部１ａと連続している。上面シート部１ａに対して第２側面シート部１ｅを屈曲することで、第２側面シート部１ｅは、室外機７の他方の側面７ｅの一部を覆うことができる（図２参照）。
【００３８】
〔シート部１ｆ、１ｇ〕
図１又は図４を参照すると、前面シート部１ｂは、第３側面シート部１ｆを更に有している。第３側面シート部１ｆは、前面シート部１ｂと連続しているが、スリットＳＬを介して第２側面シート部１ｅと断絶している。そして、第３側面シート部１ｆは、前面シート部１ｂの他方の側縁からエアコン室外機の他方の側面７ｅの一部を覆うことができる（図１又は図２参照）。第３側面シート部１ｆは、第２側面シート部１ｅの上に重ねて、折り畳むことが好ましい（図２参照）。
【００３９】
図１又は図４を参照すると、背面シート部１ｃは、第４側面シート部１ｇを更に有している。第４側面シート部１ｇは、背面シート部１ｃと連続しているが、スリットＳＬを介して第２側面シート部１ｅと断絶している。そして、第４側面シート部１ｇは、背面シート部１ｃの他方の側縁からエアコン室外機の他方の側面７ｅの一部を覆うことができる（図１又は図２参照）。第４側面シート部１ｇは、第２側面シート部１ｅの上に重ねて、折り畳むことが好ましい（図２参照）。
【００４０】
図２を参照すると、第３側面シート部１ｆの端縁と第４側面シート部１ｇの端縁は、所定距離離間して配置している。これにより、室外機７の他方の側面７ｅに接続した配管束（図示せず）に邪魔されることなく、第３側面シート部１ｆと第４側面シート部１ｇで、室外機７の他方の側面７ｅを覆うことができる。
【００４１】
〔第１バンド部材及び第２バンド部材〕
図２を参照すると、遮熱シート１０は、複数の短尺の第１バンド部材ｂ１と複数の長尺の第２バンド部材ｂ２を更に備えている。第１バンド部材ｂ１及び第２バンド部材ｂ２は、結束バンドを用いることが好ましい。
【００４２】
図４（Ｄ）を参照すると、前面シート部１ｂ及び背面シート部１ｃの一方の側縁には、複数の穴１ｈを一列に配置している。同様に、第１側面シート部１ｄの両側縁には、複数の穴１ｈを一列に配置している。これらの穴１ｈには、第１バンド部材ｂ１を挿通できる。
【００４３】
図２を参照して、前面シート部１ｂ、背面シート部１ｃ、及び、第１側面シート部１ｄを屈曲した状態で、第１バンド部材ｂ１を用いて、前面シート部１ｂ及び背面シート部１ｃの一方の側縁と第１側面シート部１ｄの両側縁を係留することで、室外機７の一方の端部側を遮熱シート１０で固定できる。
【００４４】
又、図３を参照すると、前面シート部１ｂ及び背面シート部１ｃの一方の側縁と第１側面シート部１ｄの両側縁を固定する第１バンド部材として、第１バンド部材ｂ４及び接着面ｂ５を用いることもできる。第１バンド部材ｂ４の基端部は、第１側面シート部１ｄの両側部に止着されており、少なくとも先端部には、例えば面ファスナー体（具体的には、所謂マジックテープ（登録商標））が設けられている。接着面ｂ５は、第１バンド部材ｂ４と同様に、例えば面ファスナー体からなり、前面シート部１ｂ及び背面シート部１ｃの一方の側縁に、上下方向に延びて止着されている。第１バンド部材ｂ４、及び接着面ｂ５の対向する両面はそれぞれフック面及びループ面を有するため、両者を貼り合わせることで、前面シート部１ｂ及び背面シート部１ｃの一方の側縁と第１側面シート部１ｄの両側縁を係留でき、室外機７の一方の端部側を遮熱シート１０で覆い固定できる。
【００４５】
図４（Ｄ）を参照すると、第３側面シート部１ｆ及び第４側面シート部１ｇの他方の側縁には、複数の穴１ｈを一列に配置している。これらの穴１ｈには、第２バンド部材ｂ２を挿通できる。
【００４６】
図２を参照して、第３側面シート部１ｆ及び第４側面シート部１ｇを屈曲した状態で、第２バンド部材ｂ２を用いて、第３側面シート部１ｆ及び第４側面シート部１ｇを互いに引き寄せることで、前面シート部１ｂ及び背面シート部１ｃの他方の側縁同士を係留できる。そして、遮熱シート１０は、室外機７の外面を包装状態で確実に覆うことができる。なお、室外機７の横幅が短い場合は、前面シート部１ｂ及び背面シート部１ｃの他方の側縁に開口した複数の穴１ｈを利用することが好ましい（図４（Ｄ）参照）。
【００４７】
（業務用エアコン室外機用遮熱シートの概略構成）
〔室外機〕
図２３又は図２４を参照すると、本発明による遮熱シート２０は、エアコン室外機８の外面を包装状態で覆うことができる。室外機８は、その上面８ａに排気口Ｖｅを開口し、前面８ｂ及び背面８ｃに吸気口Ｖｉを開口している。このように、室外機８は、上面及び、前面、背面、両側面のうち少なくともいずれか１の面に通気口を開口している。このような室外機８は、業務用エアコン室外機として主に用いられる。
【００４８】
〔シート部２ａ、２ｂ、２ｃ、２ｄ、２ｅ〕
図２３又は図２４を参照すると、遮熱シート２０は、上面シート部２ａ、前面シート部２ｂ、背面シート部２ｃ、及び第１側面シート部２ｄを有している。上面シート部２ａは、室外機８の上面８ａを覆うことができ、排気口Ｖｅに対向する第１通気部としての開口部２１ｈを有している。
【００４９】
図２３又は図２４を参照すると、前面シート部２ｂは、上面シート部２ａと連続している。上面シート部２ａに対して前面シート部２ｂを屈曲することで、前面シート部２ｂは、室外機８の前面８ｂを覆うことができる。前面シート部２ｂは、前面８ｂに開口した吸気口Ｖｉに対向する第２通気部としての開口部２２ｈを有している。
【００５０】
図２３、図２４又は図２７を参照すると、背面シート部２ｃは、上面シート部２ａと連続している。上面シート部２ａに対して背面シート部２ｃを屈曲することで、背面シート部２ｃは、室外機８の背面８ｃを覆うことができる。背面シート部２ｃは、背面８ｃに開口した吸気口（図示せず）に対向する第２通気部としての開口部２４ｈを有している。
【００５１】
図２３又は図２４を参照すると、遮熱シート２０は、上記遮熱シート１０と同様に、第１側面シート部２ｄと、第２側面シート部２ｅを有している。上面シート部２ａに対して第１側面シート部２ｄ及び第２側面シート部２ｅを屈曲することで、それぞれ室外機８の一方の側面８ｄ及び他方の側面８ｅの一部を覆うことができる（図２４参照）。
【００５２】
〔シート部２ｆ、２ｇ〕
図２３、２４又は図２７を参照すると、遮熱シート２０は、上記遮熱シート１０と同様に、第３側面シート部２ｆ及び第４側面シート部２ｇを有している。第３側面シート部２ｆ及び第４側面シート部２ｇは、エアコン室外機８の他方の側面８ｅの一部を覆うことができ、第２側面シート部２ｅの上に重ねて折り畳むことが好ましい。
又、第３側面シート部２ｆ及び第４側面シート部２ｇの端縁は、所定距離離間して配置しているため、室外機８の他方の側面８ｅに接続した配管束（図示せず）に邪魔されることなく、第３側面シート部２ｆ及び第４側面シート部２ｇで、室外機８の他方の側面８ｅを覆うことができる。
【００５３】
〔第１バンド部材及び第２バンド部材〕
図２４又は図２７を参照すると、遮熱シート２０は、上記遮熱シート１７と同様に、前面シート部２ｂ及び背面シート部２ｃの一方の側縁と第１側面シート部２ｄの両側縁を固定する、第１バンド部材ｂ４及び接着面ｂ５を備えている。第１バンド部材ｂ４及び接着面ｂ５は、例えば面ファスナー体からなり、両者を貼り合わせることで、前面シート部２ｂ及び背面シート部２ｃの一方の側縁と第１側面シート部２ｄの両側縁を係留でき、室外機８の一方の端部側を遮熱シート２０で固定できる。
【００５４】
図２４を参照すると、遮熱シート２０は、上記遮熱シート１０と同様に、複数の長尺の第２バンド部材ｂ２を更に備えている。第２バンド部材２ｂを用いて、第３側面シート部２ｆ及び第４側面シート部２ｇを互いに引き寄せることで、前面シート部２ｂ及び背面シート部２ｃの他方の側縁同士を係留できる。そして、遮熱シート２０は、室外機８の外面を包装状態で確実に覆うことができる。
【００５５】
［エアコン室外機用遮熱シートの作用］
次に、実施形態による遮熱シート１０による構成を補足しながら、遮熱シート１０の作用及び効果を説明する。実施形態による遮熱シート１０は、可撓性を有する展開した遮熱シート１０の周囲を折り曲げて、底面７ｆを除いて、室外機７の外面を包装状態で覆うと共に、遮熱シート１０の四隅をバンド部材で係留することで、汎用性を有するエアコン室外機用遮熱シートを実現できる。
【００５６】
図１から図４を参照すると、実施形態による遮熱シート１０は、前面シート部１ｂと連続しているが、スリットＳＬを介して第２側面シート部１ｅと断絶した第３側面シート部１ｆを有している。又、実施形態による遮熱シート１０は、背面シート部１ｃと連続しているが、スリットＳＬを介して第２側面シート部１ｅと断絶した第４側面シート部１ｇを有している。
【００５７】
図１から図４を参照して、上面シート部１ａ、前面シート部１ｂ、及び、背面シート部１ｃの横幅Ｗに対して（図４参照）、室外機７の横幅が長い場合は、第３側面シート部１ｆの側縁と第４側面シート部１ｇの側縁の間隔を拡げるように、第３側面シート部１ｆと第４側面シート部１ｇを複数の第２バンド部材ｂ２で係留することで、室外機７の外面を包装状態で覆うことができる。
【００５８】
一方、図１から図４を参照して、上面シート部１ａ、前面シート部１ｂ、及び、背面シート部１ｃの横幅Ｗに対して（図４参照）、室外機７の横幅が短い場合は、第３側面シート部１ｆの側縁と第４側面シート部１ｇの側縁の間隔を狭めるように、第３側面シート部１ｆと第４側面シート部１ｇを複数の第２バンド部材ｂ２で係留することで、室外機７の外面を包装状態で覆うことができる。
【００５９】
このように、図１から図４を参照すると、実施形態による遮熱シート１０は、第３側面シート部１ｆ及び第４側面シート部１ｇと第２側面シート部１ｅを断絶した一対のスリットＳＬを有しているので、室外機７の横幅に対して、第３側面シート部１ｆの側縁と第４側面シート部１ｇの側縁の間隔を調整することで、室外機７の外面を包装状態で覆うことができる。
【００６０】
図４を参照して、第２側面シート部１ｅの両側縁に切り欠いたスリットＳＬをＬ字状又はＴ字状に切り欠くことで、上面シート部１ａ、第１側面シート部１ｄ、及び、第２側面シート部１ｅの奥行きＴに対して（図４参照）、室外機７の奥行きを調整した状態で、室外機７の外面を包装状態で覆うことができる。
【００６１】
図１から図４を参照すると、実施形態による遮熱シート１０は、前面シート部１ｂ及び背面シート部１ｃの他方の側縁に開口した穴１ｈを利用して（図４（Ｄ）参照）、複数の第２バンド部材ｂ２を用いて、前面シート部１ｂと背面シート部１ｃを互いに引き寄せることで、室外機７の外面を包装状態で覆うことができる。
【００６２】
又、図１から図４を参照すると、前面シート部１ｂ及び背面シート部１ｃの他方の側縁から延在した第３側面シート部１ｆ及び第４側面シート部１ｇの側縁に開口した穴１ｈを利用して（図４（Ｄ）参照）、複数の第２バンド部材ｂ２を用いて、第３側面シート部１ｆと第４側面シート部１ｇを互いに引き寄せることで、室外機７の外面を包装状態で覆うことができる。
【００６３】
又、室外機８に対して適用される遮熱シート２０についても、図２３又は図２７を参照すると、同様にスリットＳＬを介して第２側面シート部２ｅと断絶した第３側面シート部２ｆ、第４側面シート部２ｇを有するため、上記室外機７に対して適用される遮熱シート１０と同様の作用及び効果が得られる。
【００６４】
図１から図４を参照すると、遮熱シート１０は、発泡シート、反射シート、及び、外装シートを有している。発泡シートは、室外機７の外面側に沿うように配置できる。発泡シートは、気泡緩衝材を用いることが好ましく、気泡緩衝材は、複数の円柱状の突起の内部に空気を閉じ込めているので、断熱効果に優れている。
【００６５】
図１から図４を参照すると、遮熱シート１０を構成する反射シートは、例えば、樹脂コーティングされたアルミニウムシートにより構成され、日光を反射できる。反射シートは、日光を反射して熱の侵入を防げるので、室外機７を遮熱できる。本実施形態では、反射シートは、発泡シートの表面及び裏面にそれぞれ配置される。外装シートは、表面側の反射シートの外面側に配置される。外装シートは、例えば、メッシュシートにより構成され、遮熱シート１０の意匠性を向上させる。又、遮熱シート１０の耐候性を向上させる。外装シートとしては、メッシュシートに限られず、外観を向上させられる、又は、耐候性を向上させられるシート材を適宜用いることができる。遮熱シート１０は、外面側から、外装シート、反射シート、発泡シート、及び反射シートを面方向に接合した状態で積層している。
【００６６】
（第３バンド部材の構成）
次に、実施形態による遮熱シート１０に備わる第３バンド部材ｂ３の構成を説明する。図５から図７を参照すると、第３バンド部材ｂ３は、短尺のバンド部材３１と長尺のバンド部材３２で構成している。短尺のバンド部材３１は、前面シート部１ｂの端部に基端部を止着している。又、短尺のバンド部材３１は、一組のＤ環３１ｄ・３１ｄを先端部に保持している。
【００６７】
一方、図５又は図６を参照すると、長尺のバンド部材３２は、背面シート部１ｃの端部に基端部を止着している。図６を参照して、長尺のバンド部材３２の先端部側を一組のＤ環３１ｄ・３１ｄに係合し、バンド部材３２の先端部側を基端部に向かって引っ張ることで、前面シート部１ｂの側縁と背面シート部１ｃの側縁を室外機７の底面側で係留できる（図６又は図７参照）。
【００６８】
又、図８を参照すると、第３バンド部材ｂ３は、長尺のバンド部材３２を備え、基端部が背面シート部１ｃの端部に止着され、先端部に例えば面ファスナー体（具体的には、所謂マジックテープ（登録商標））が設けられた構成を有していてもよい。この場合、前面シート部１ｂの端部には面ファスナー体３３が設けられている。そして、第３バンド部材ｂ３と、面ファスナー体３３との対向する両面はそれぞれフック面及びループ面を有している。このため、両者を貼り合わせることで、前面シート部１ｂの側縁と背面シート部１ｃの側縁を室外機７の底面側で係留できる。
【００６９】
又、図９を参照すると、第３バンド部材ｂ３は、伸縮可能な長尺のバンド部材３２を備え、基端部が背面シート部１ｃの端部に止着され、先端部にフック３２ｄを備える構成を有していてもよい。この場合、前面シート部１ｂの端部には、縦方向に一列の穴２ｈが配置されている。このため、上面シート部１ａ、第１側面シート部１ｄ、及び、第２側面シート部１ｅの奥行きＴ（図４参照）の長さに応じて、第３バンド部材ｂ３を伸長させるとともに、先端に設けられたフック３２ｄと、上記一列の穴２ｈのいずれかを係合させることで、前面シート部１ｂの側縁と背面シート部１ｃの側縁を室外機７の底面側で係留できる。
【００７０】
図２又は図５から図９を参照すると、実施形態による遮熱シート１０は、前面シート部１ｂの側縁と背面シート部１ｃの側縁を室外機７の底面側で係留する一対の第３バンド部材ｂ３・ｂ３を備えているので、室外機７の底面側から吹き上げる風に対して、遮熱シート１０が離脱することを防止できる。又、室外機７に対して、遮熱シート１０が位置ずれすることを防止できる。なお、上記第３バンド部材による構成は、室外機８に対して用いられる遮熱シートに対しても同様に適用できる。
【００７１】
本発明による遮熱シート１０及び遮熱シート２０の概略構成及び作用は、以上のとおりであるが、室外機７及び室外機８の通気口に対向する通気部の形態によって、以下のように、その実施形態を異ならせている。
【００７２】
［第１実施形態］
次に、第１実施形態による遮熱シートの構成を説明する。図１０又は図１１（Ａ）を参照すると、第１実施形態による遮熱シート１１は、円形の第１開口１１ｈを前面シート部１ｂに形成している。つまり、第１通気部は、円形の第１開口１１ｈで構成している。又、第１開口１１ｈは、排気口Ｖｅに対応している。
【００７３】
図１１（Ｃ）を参照すると、第１実施形態による遮熱シート１１は、矩形の第２開口１２ｈを背面シート部１ｃに形成している。つまり、第２通気部は、矩形の第２開口１２ｈで構成している。又、第２開口１２ｈは、吸気口Ｖｉに対応している。
【００７４】
図１１（Ｄ）を参照すると、第１実施形態による遮熱シート１１は、矩形の第３開口１３ｈを第１側面シート部１ｄに形成している。室外機７の一方の側面７ｄには、換気口Ｖａを設けているので、換気口Ｖａの通気を妨げないように、矩形の第３開口１３ｈを第１側面シート部１ｄに開口している。
【００７５】
又、図２３又は図２７（Ａ）を参照すると、第１実施形態による遮熱シート２０は、円形の第１開口２１ｈを上面シート部２ａに形成している。つまり、第１通気部は、円形の第１開口２１ｈで構成している。又、第１開口２１ｈは、排気口Ｖｅに対応している。
【００７６】
図２７（Ａ）を参照すると、第１実施形態による遮熱シート２０は、矩形の第２開口２２ｈ、２４ｈをそれぞれ前面シート部１ｂ及び背面シート部１ｃに形成している。つまり、第２通気部は、矩形の第２開口２２ｈ、２４ｈで構成している。又、第２開口２２ｈ、２４ｈは、吸気口Ｖｉに対応している。
【００７７】
図１０又は図１１、及び図２３又は図２７を参照すると、第１実施形態による遮熱シート１１及び遮熱シート２０は、それぞれ室外機７及び室外機８の外面を包装状態で覆うことができ、通気口の通気を妨げないように、複数の開口を有している。又、これらの開口の形状は、実施形態に限定されない。
【００７８】
［第２実施形態］
次に、第２実施形態による遮熱シートの構成を説明する。図１２又は図１３（Ａ）を参照すると、第２実施形態による遮熱シート１２は、排気口Ｖｅに対応した円形の第１開口１１ｈをメッシュシートＳｍで覆っている。
【００７９】
同様に、図１３（Ｃ）を参照すると、第２実施形態による遮熱シート１２は、吸気口Ｖｉに対応した矩形の第２開口１２ｈをメッシュシートＳｍで覆っている。又、図１３（Ｄ）を参照すると、第２実施形態による遮熱シート１２は、換気口Ｖａに対応した矩形の第３開口１３ｈをメッシュシートＳｍで覆っている。
【００８０】
図１２又は図１３を参照すると、第２実施形態による遮熱シート１２は、室外機７の外面を包装状態で覆うことができ、通気口の通気を妨げないように、複数の開口をメッシュシートＳｍで覆っている。又、第２実施形態による遮熱シート１２は、複数の開口をメッシュシートＳｍで覆っているので、直射日光を遮蔽できるという効果が期待できる。
【００８１】
なお、上記第２実施形態による遮熱シートの構成は、室外機８に用いられる遮熱シートに対しても同様に適用できる。
【００８２】
［第３実施形態］
次に、第３実施形態による遮熱シートの構成を説明する。図１４から図１６を参照すると、第３実施形態による遮熱シート１３は、第１フィンカバー５１と複数の第２フィンカバー５２を備えている。
【００８３】
図１４又は図１５（Ａ）を参照すると、第１フィンカバー５１は、排気口Ｖｅに対向するように、前面シート部１ｂに取り付けられている。図１５（Ｃ）を参照すると、三つの第２フィンカバー５２は、吸気口Ｖｉに対向するように、背面シート部１ｃに取り付けられている。図１５（Ｄ）を参照すると、一つの第２フィンカバー５２は、換気口Ｖａに対向するように、第１側面シート部１ｄに取り付けられている。
【００８４】
図１４又は図１５（Ａ）及び図１６（Ａ）・（Ｂ）を参照すると、第１フィンカバー５１は、矩形のベース板５１ａ、円環枠５１ｂ、及び、複数の帯板状のフィン５１ｃを有している。ベース板５１ａは、前面シート部１ｂに止着されている。円環枠５１ｂは、その内部に複数のフィン５１ｃを水平状態で配置している。排気口Ｖｅから通風されると、複数のフィン５１ｃでこの通風を空冷できる。
【００８５】
図１５（Ｃ）・（Ｄ）又は及び図１６（Ｃ）・（Ｄ）を参照すると、第２フィンカバー５２は、矩形のベース板５２ａ、矩形枠５２ｂ、及び、複数の帯板状のフィン５２ｃを有している。矩形のベース板５２ａは、背面シート部１ｃ及び第１側面シート部１ｄに止着されている。矩形枠５２ｂは、その内部に複数のフィン５２ｃを水平状態で配置している。排気口Ｖｅ及び換気口Ｖａに通風されると、複数のフィン５２ｃでこの通風を空冷できる。
【００８６】
図１４から図１６を参照すると、第３実施形態による遮熱シート１３は、室外機７の外面を包装状態で覆うことができ、通気口の通気を妨げないように、複数の開口をフィンカバーで覆っている。第３実施形態による遮熱シート１３は、複数の開口をフィンカバーで覆っているので、室外機７を空冷できるという効果が期待できる。
【００８７】
第１フィンカバー５１は、構成部品を一体成形することが好ましい。図１７（Ａ）又は図１７（Ｂ）を参照すると、複数のフィン５１ｃは、円環枠５１ｂの内部で連続しているが、打ち抜き加工することで、フィン５１ｃの間に隙間を設けることができる（図１７（Ｃ）又は図１７（Ｄ）参照）。
【００８８】
第２フィンカバー５２は、構成部品を一体成形することが好ましい。図１８（Ａ）又は図１８（Ｂ）を参照すると、複数のフィン５２ｃは、矩形枠５２ｂの内部で連続しているが、打ち抜き加工することで、フィン５２ｃの間に隙間を設けることができる（図１８（Ｃ）又は図１８（Ｄ）参照）。
【００８９】
なお、上記第３実施形態による遮熱シートの構成は、室外機８に用いられる遮熱シートに対しても同様に適用できる。
【００９０】
［第４実施形態］
次に、第４実施形態による遮熱シートの構成を説明する。図１９又は図２０（Ａ）を参照すると、第４実施形態による遮熱シート１４は、円形の第１開口１１ｈを前面シート部１ｂに形成している。つまり、第１通気部は、円形の第１開口１１ｈで構成している。又、第１開口１１ｈは、排気口Ｖｅに対向している。円形の第１開口１１ｈは、前面シート部１ｂを切り抜いて形成したものであり、切り抜き部１ｂｃは、その一部が前面シート部１ｂと連続しており、裏面に第４バンド部材ｂ６が設けられている。第４バンド部材ｂ６の基端部は、前面シート部の一部１ｂｃの裏面に止着され、先端部には、例えば、ボタンｊ１が設けられている。又、前面シート部１ｂの上端部には、例えば、ボタンｊ１と篏合するボタンｊ２が設けられている。
【００９１】
図１９を参照すると、切り抜き部１ｂｃを巻き上げて、第４バンド部材ｂ６の先端に設けられたボタンｊ１と、前面シート部１ｂの上端部に設けられたボタンｊ２とを篏合させることで、切り抜き部１ｂｃを巻き上げた状態、つまり第１開口１１ｈを開口した状態で固定できる。一方、ボタンｊ１とｊ２とを離間し、切り抜き部１ｂｃを下ろした状態とすることで、第１開口１１ｈを閉じることができる。すなわち、遮熱シート１４は、第１通気部を開閉可能な構成を有している。
【００９２】
又、図２０（Ｃ）又は（Ｄ）を参照すると、背面シート部１ｃと、第１側面シート部１ｄも同様に、吸気口Ｖｉ、換気口Ｖａにそれぞれ対向する矩形の第２開口１２ｈ、第３開口１３ｈを形成している。つまり、第２通気部は、矩形の第２開口１２ｈで構成している。
第２開口１２ｈ、第３開口１３ｈは、それぞれ背面シート部１ｃ、第１側面シート部１ｄを切り抜いて形成したものであり、切り抜き部１ｃｃ、１ｄｃは、その一部が各シート部と連続しており、裏面に第４バンド部材ｂ６が設けられている。そして、切り抜き部１ｃｃ及び１ｄｃは、切り抜き部１ｂｃと同様に、巻き上げた状態、つまり第２開口１２ｈ及び第３開口１３ｈを開口した状態で各シートに固定できる。一方で、切り抜き部１ｃｃ及び１ｄｃを下ろした状態とすることで、第２開口１２ｈ及び第３開口１３ｈを閉じることができる。すなわち、遮熱シート１４は、第２通気部を開閉可能な構成を有している。
【００９３】
同様に、室外機８に適用される第４実施形態による遮熱シート２０の構成を、図２３、図２５又は図２７を参照して説明する。
図２３又は図２７（Ａ）を参照すると、遮熱シート２０は、円形の第１開口２１ｈを上面シート部２ａに形成している。つまり、第１通気部は、円形の第１開口２１ｈで構成している。又、第１開口２１ｈは、排気口Ｖｅに対向している。
図２３、図２５又は図２７を参照すると、遮熱シート２０は、上面シート部２ａに装着可能な保護カバー２ｊを有している。保護カバー２ｊの端部には、例えば、複数のボタンｊ１が設けられている。又、上面シート部２ａの端部には、例えば、ボタンｊ１と篏合するボタンｊ２が設けられている。
【００９４】
図２５を参照すると、保護カバー２ｊの端部に設けられた複数のボタンｊ１と、上面シート部２ａの端部に設けられたボタンｊ２とを篏合させることで、保護カバー２ｊを上面シート２ａに装着した状態、つまり第１開口２１ｈを閉口した状態で固定できる。又、ホタンｊ１とボタンｊ２とを離間させ、保護カバー２ｊを取り外すことで、第１開口２１ｈを開口できる。すなわち、遮熱シート２０は、第１通気部を開閉可能な構成を有している。
【００９５】
又、図２３、図２４又は図２７を参照すると、遮熱シート２０は、前面シート部２ｂと、背面シート部２ｃに、吸気口Ｖｉに対向する矩形の第２開口２２ｈ、２４ｈを形成している。つまり、第２通気部は、矩形の第２開口２２ｈ、２４ｈで構成している。
第２開口２２ｈ、２４ｈは、前面シート部２ｂ及び背面シート部２ｃを切り抜いて形成したものであり、切り抜き部２ｂｃ及び２ｃｃは、その一部が各シート部と連続している。又、切り抜き部２ｂｃ及び２ｃｃの先端部には、紐状のバンド部材（図示せず）が挿通可能な複数の穴３ｈが設けられている。よって、切り抜き部２ｂｃ及び２ｃｃは、第２開口２２ｈ、２４ｈを開口した状態で、複数の穴３ｈに紐状のバンド部材を挿通させ、任意箇所に固定できる。一方で、切り抜き部２ｂｃ及び２ｃｃを下ろした状態とすることで、第２開口２２ｈ、２４ｈを閉じることができる。すなわち、遮熱シート２０は、第２通気部を開閉可能な構成を有している。
【００９６】
上記構成により、第４実施形態による遮熱シート１４、２０は、室外機７、８の使用時には通気口の通気を妨げないように、第１通気部及び第２通気部を開いておき、強風時や室外機７、８の不使用時には第１通気部及び第２通気部を閉じておくことで、風が通気口から吹き込んで、室外機７、８が故障することや、室外機が汚損することを防止できる。なお、上記構成は遮熱シート本体に直接取り付けられるものであるため、新たな設置箇所を設ける必要もなく、飛ばされる等の心配も少ない点で優れている。
【００９７】
［第５実施形態］
次に、第５実施形態による遮熱シート１５の構成を説明する。図２１を参照すると、第５実施形態による遮熱シート１５は、上面シート部１ａに装着可能な、ひさし部１ｉを備えている。ひさし部１ｉの端部には、例えば、複数のボタンｊ１が設けられている。そして、上面シート部１ａの端部には、例えば、ボタンｊ１と篏合するボタンｊ２が複数設けられている。又、ひさし部１ｉの他方の端部には、複数の穴３ｈが一列に配置されている。穴３ｈには、紐状のバンド部材が挿通可能である。
図２１を参照すると、ひさし部１ｉに設けられた複数のボタンｊ１と、シート部１ａに設けられたボタンｊ２とが篏合して、ひさし部１ｉが上面シート部１ａに固定されている。又、ひさし部１ｉに設けられた穴３ｈに挿通された紐状のバンド部材により、ひさし部１ｉは、任意箇所に固定されている。なお、図２１に示すように、ひさし部１ｉの上面シート部１ａに対する角度を調整して固定することで、室外機７の通気口の通気を妨げることなく、排気口Ｖｅと吸気口Ｖｉとの間に、ひさし部１ｉを固定することが好ましい。
【００９８】
同様に、室外機８に適用される第５実施形態の構成を、図２６又は図２８を参照して説明する。
図２６を参照すると、遮熱シート２１は、上面シート部２ａに装着可能な、３つのひさし部２ｉを備えている。ひさし部２ｉは、上記ひさし部１ｉと同様にボタンｊ１によって上面シート部２ａの端部にそれぞれ装着されている。
又、ひさし部２ｉの他方の端部には、紐状のバンド部材が挿通可能な複数の穴３ｈが設けられている。図２６を参照すると、穴３ｈに挿通された紐状のバンド部材（図示せず）により、ひさし部２ｉは、任意箇所に固定されている。なお、図２６に示すように、ひさし部２ｉの上面シート部２ａに対する角度を調整して固定することで、室外機８の通気口の通気を妨げることなくひさし部２ｉを上面シート部２ａに装着することが好ましい。
【００９９】
室外機７が、集合住宅のベランダ等、狭窄な場所に設置された場合、室外機の排気口Ｖｅから放出された高温の空気が、前方の障害物に当たって上昇し、吸気口Ｖｉから吸入されて熱交換効率が低下する現象（所謂ショートサーキット現象）が生じることがある。又、室外機８においても同様の現象が生じることがある。
図２１を参照すると、排気口Ｖｅから放出された高温の空気は、前方の障害物（図示せず）に当たって上昇するが、吸気口Ｖｉとの間にはひさし部１ｉが存在するため、Ｖｉに吸入されることなく、上方に放散する（図２１の矢印部）。遮熱シート２１においても、同様の効果が得られる。
従って、第５実施形態による遮熱シート１５、２１は、ひさし部によって上記所謂ショートサーキット現象を抑制できる。
又、上記第５実施形態による遮熱シート１５、２１は、ひさし部によって作られた日陰によって周囲温度が低下し、熱交換効率が向上する効果も期待できる。
【０１００】
［第６実施形態］
次に、第６実施形態による遮熱シートの構成を説明する。図２２を参照すると、第６実施形態による遮熱シート１６は、吸気口Ｖｉに対向する複数の第２開口１２ｈ、及び、換気口Ｖａに対向する第３開口１３ｈが形成されている。第２開口１１ｈ、第３開口１３ｈは、それぞれ背面シート部１ｃ、第１側面シート部１ｄを切り抜いて形成したものである。又、上記切り抜き箇所は、その一部が各シート部と連続する、ひさし部１ｃｃ及び１ｄｃを形成する。ひさし部１ｃｃ及び１ｄｃの端部には、複数の穴３ｈが一列に配置されており、穴３ｈには、紐状のバンド部材が挿通可能である。
図２２を参照すると、ひさし部１ｃｃ及び１ｄｃは、穴３ｈに挿通された紐状のバンド部材により、任意箇所に固定されている。なお、図２２に示すように、ひさし部１ｃｃの背面シート部１ｃに対する角度及び、ひさし部１ｄｃの第１側面シート部１ｄに対する角度を調整して固定することで、室外機７の通気を妨げることなく、排気口Ｖｅと吸気口Ｖｉとの間に、ひさし部１ｃｃ及び１ｄｃを固定することが好ましい。
【０１０１】
同様に、室外機８に適用される第６実施形態による遮熱シート２０の構成を、図２３、図２４又は図２７を参照して説明する。
図２３、図２４又は図２７を参照すると、第６実施形態による遮熱シート２０は、吸気口Ｖｉに対向する第２開口２２ｈ、２４ｈが形成されている。第２開口２２ｈ、２４ｈは、それぞれ前面シート部２ｂ、背面シート部２ｃを切り抜いて形成したものである。又、上記切り抜き箇所は、その一部が各シート部と連続する、ひさし部２ｂｃ、２ｃｃを形成している。ひさし部２ｂｃ、２ｃｃの端部には、複数の穴３ｈが一列に配置されており、穴３ｈには、紐状のバンド部材が挿通可能である。
図２４を参照すると、ひさし部２ｂｃ及び２ｃｃは、穴３ｈに挿通された紐状のバンド部材（図示せず）により、任意箇所に固定されている。なお、図２４に示すように、ひさし部２ｂｃの前面シート部２ｂに対する角度及び、ひさし部２ｃｃの背面シート部２ｃに対する角度を調整して固定することで、室外機８の通気を妨げることなく、ひさし部２ｂｃ及び２ｃｃを固定することが好ましい。
【０１０２】
第６実施形態による遮熱シート１６、２０は、排気口Ｖｅから放出された高温の空気が吸気口Ｖｉから再び吸い込まれることを、シート部を切り抜いて形成された、ひさし部によって抑制できる（すなわち、上記所謂ショートサーキットを抑制できる）。
又、上記第６実施形態による遮熱シート１６、２１は、ひさし部によって作られた日陰によって周囲温度が低下し、熱交換効率が向上する効果も期待できる。
なお、第６実施形態による遮熱シート１６、２０は、第５実施形態による遮熱シートと異なり、遮熱シートの一部を切り抜いてひさし部を形成するため、ひさし部を遮熱シートに固定する手段が不要である利点を有する。又、室外機の不使用時にはひさし部の先端の固定を外して通気口を塞ぐことで、通気部を開閉可能とすることもでき、上記第４実施形態による効果を兼ね備えることもできる。
【０１０３】
［その他の実施形態］
本発明のその他の実施形態について以下に述べる。
図２９を参照すると、本発明の実施形態に係る遮熱シート２０は、ひさし部２ｂｃを固定する金具Ｂｒを有する。金具Ｂｒは、例えば一対のＬ字状の金具であり、バンド部材ｂ７によってひさし部２ｂｃの両端部及び前面シート部２ｂに固定される。バンド部材ｂ７は、ひさし部２ｂｃの両端部と、前面シート部２ｂとに係止されており、金具Ｂｒを挿通可能に保持する。
又、図２９に示すように、金具Ｂｒの先端部を、ひさし部２ｂｃの先端から延出させ、金具Ｂｒの先端部を支持具Ｓｕによって支持する構成としてもよい。支持具Ｓｕは、例えば脚部Ｓｕ２によって自立可能であり、前記延出した金具Ｂｒの先端部を載置可能な載置部Ｓｕ１を備えている。
【０１０４】
又、図２９を参照すると、本発明の実施形態に係る遮熱シート２０におけるひさし部２ｅｃは、隣に配置された室外機の遮熱シート２０’におけるひさし部２ｄｃ’と連結できる。図２９に示すように、ひさし部２ｅｃの先端に設けられた穴３ｈと、ひさし部２ｄｃ’の先端に設けられた穴３ｈ’とに紐状のバンド部材を挿通させて結束することで、ひさし部２ｅｃと２ｄｃ’とを連結できる。
上記構成とすることで、ひさし部をより強固に固定できるとともに、ひさし部の先端に形成された穴にバンド部材を挿通させて固定する、固定先がない場合であっても、ひさし部を固定できる。
【０１０５】
又、図３０を参照すると、本発明の実施形態に係る遮熱シート２１におけるひさし部２ｉは、隣接する室外機の遮熱シート２１’におけるひさし部２ｉ’と連結できる。
図３０に示すように、ひさし部２ｉの側端部に一列に配置された穴４ｈと、ひさし部２ｉ’の、ひさし部２ｉに隣接する側端部に一列に配置された穴４ｈとに、紐状のバンド部材を挿通させて結束することで、ひさし部２ｉと２ｉ’とを連結できる。
上記構成とすることで、ひさし部をより強固に固定できるため、例えば下方や側方からの風によって、ひさし部が捲れ上がり、本発明の効果が阻害されることを防止できる。
【０１０６】
以上、上記実施形態を用いて本発明による室外機用遮熱シートを説明したが、本発明による室外機用遮熱シートは、上記実施形態の内容に限定されない。
例えば、第２バンド部材の構成として、第３側面シート部１ｆ及び第４側面シート部１ｇの側縁に配置された穴に第２バンド部材を挿通させて固定するものとして説明したが、第２バンド部材としては前面シート部と背面シート部を固定できるものであればよく、例えば第１バンド部材の変形例として説明した、面ファスナー体により固定するものであってもよいし、第３バンド部材として説明したベルトや、先端にフックを備えたバンド部材で固定するものであってもよい。
【０１０７】
又、第３バンド部材の構成として、前面シート部の側縁と背面シート部の側縁を底面側で係留するものとして説明したが、第１側面シート部の側縁と、第２側面シート部の側縁とを底面側で係留するものであってもよいし、両者を組み合わせてもよい。
【０１０８】
又、上記第１実施形態〜第４実施形態において、通気部が開口している構成、通気部が開閉可能である構成、通気部にメッシュシートが配置される構成、及び通気部に複数の帯板状のフィンが配列された構成を説明したが、通気口が複数存在する室外機において、上記複数の構成を組み合わせて用いることもできる。
【０１０９】
又、上記第５実施形態において、ひさし部を上面シート部に固定するものとして説明したが、これに限定されない。ひさし部は室外機の通気口の通気を妨げることなく、排気口Ｖｅと通気口Ｖｉとの間に配置されるものであればよく、上面シート部以外のシート部に固定されていてもよい。
同様に、第６実施形態において、前面シート部や背面シート部を切り抜いて形成されるひさし部として説明したが、ひさし部はいずれかのシート部を切り抜いて形成されるものであればよく、例えば上面シート部を切り抜いてひさし部を形成してもよい。
【０１１０】
なお、本発明は、前面シート部及び背面シート部の他方の側縁同士を係留する第２バンド部材を設けることで汎用性のある遮熱シートを実現できるものであるが、この他の室外機の大きさに合わせた調整方法としては、例えば図２６又は図２８におけるように、上面シート部を除く各シート部間にスリットＳＬを設け、上記各シート部の側縁部に複数列の穴１ｈを設けておくことで、室外機の大きさに合わせて遮熱シートの固定に使用する穴１ｈを変更でき、汎用性のある遮熱シートを実現できる。
【符号の説明】
【０１１１】
ｂ１  第１バンド部材
ｂ２  第２バンド部材
１ａ  上面シート部
１ｂ  前面シート部
１ｃ  背面シート部
１ｄ  第１側面シート部
１ｅ  第２側面シート部
７  室外機（家庭用エアコン室外機）
７ａ  上面
７ｂ  前面
７ｃ  背面
７ｄ  側面
７ｅ  側面
７ｆ  底面
８  室外機（業務用エアコン室外機）
１０  遮熱シート（家庭用エアコン室外機用遮熱シート）
２０  遮熱シート（業務用エアコン室外機用遮熱シート）
【図１】
2019235643.tif 000003
【図２】
2019235643.tif 000004
【図３】
2019235643.tif 000005
【図４】
2019235643.tif 000006
【図５】
2019235643.tif 000007
【図６】
2019235643.tif 000008
【図７】
2019235643.tif 000009
【図８】
2019235643.tif 000010
【図９】
2019235643.tif 000011
【図１０】
2019235643.tif 000012
【図１１】
2019235643.tif 000013
【図１２】
2019235643.tif 000014
【図１３】
2019235643.tif 000015
【図１４】
2019235643.tif 000016
【図１５】
2019235643.tif 000017
【図１６】
2019235643.tif 000018
【図１７】
2019235643.tif 000019
【図１８】
2019235643.tif 000020
【図１９】
2019235643.tif 000021
【図２０】
2019235643.tif 000022
【図２１】
2019235643.tif 000023
【図２２】
2019235643.tif 000024
【図２３】
2019235643.tif 000025
【図２４】
2019235643.tif 000026
【図２５】
2019235643.tif 000027
【図２６】
2019235643.tif 000028
【図２７】
2019235643.tif 000029
【図２８】
2019235643.tif 000030
【図２９】
2019235643.tif 000031
【図３０】
2019235643.tif 000032
【国際調査報告】
2019235643.tif 000033
2019235643.tif 000034
2019235643.tif 000035
2019235643.tif 000036